(57)【特許請求の範囲】
【請求項１】
支持ベースに設けた第１回転軸を中心に回転可能に前記支持ベースに取り付けられて、遊技状態に応じて回転する回転ベースと、
前記第１回転軸と交差する方向に並んだ状態で前記回転ベースにそれぞれ回転可能に取り付けられて、遊技状態に応じて前記回転ベースと共に前記第１回転軸回りを回転しながらその回転ベースに対しても回転する第１可動装飾体及び第２可動装飾体と、
前記第１可動装飾体の外面に設けられて、前記回転ベースに対する回転方向に並べられた複数の第１表示面と、
前記第２可動装飾体の外面に設けられて、前記回転ベースに対する回転方向に並べられた複数の第２表示面とを備えて、
前記第１可動装飾体及び前記第２可動装飾体が前記回転ベースに対してそれぞれの回転することで、互いに並んで表示される前記第１表示面と前記第２表示面との組み合わせパターンが変化すると共に、前記回転ベースの回転によって前記第１可動装飾体及び前記第２可動装飾体の並び方向が、第１方向と第２方向を含む複数方向に変化し、前記第１方向に並んで遊技者が視認可能となる前記第１表示面と前記第２表示面との組み合わせパターンと、前記第２方向に並んで遊技者が視認可能となる前記第１表示面と前記第２表示面との組み合わせパターンとが異なるように設定したことを特徴とする遊技機。
【請求項２】
前記第１可動装飾体及び前記第２可動装飾体は、前記第１回転軸を間に挟んで配置されたことを特徴とする請求項１に記載の遊技機。
【請求項３】
前記支持ベースに固定されて、前記第１回転軸を中心軸とした第１リンクと、
前記第１可動装飾体及び前記第２可動装飾体に固定されて前記第２回転軸を中心軸とし、それぞれ第１リンクに連結した１対の第２リンクと、
前記支持ベースに対して前記回転ベースを回転駆動すると共に、前記回転ベースを回転駆動することで前記前記第１可動装飾体及び前記第２可動装飾体を前記回転ベースに対して回転させる第１駆動源とを備えたことを特徴とする請求項１又は２に記載の遊技機。
【請求項４】
前記第１回転軸の軸方向を変更するように前記支持ベースの姿勢を第１姿勢と第２姿勢とに変更する支持ベース駆動機構を備えたことを特徴とする請求項１乃至３の何れか１の請求項に記載の遊技機。
【請求項５】
前記支持ベースの前記第２姿勢で遊技者と対向する前記第１表示面と前記第２表示面との組み合わせパターンを、遊技状況を意味又は示唆する組み合わせパターンとする一方、前記支持ベースの前記第１姿勢で遊技者と対向する前記第１表示面と前記第２表示面との組み合わせパターンを、遊技状況を意味しない又は示唆しない組み合わせパターンとしたことを特徴とする請求項４に記載の遊技機。
【請求項６】
前記第１可動装飾体及び前記第２可動装飾体は、前記支持ベースの前記第１姿勢では、回転駆動されず、前記第２姿勢で前記回転ベースと共に前記第１可動装飾体及び前記第２可動装飾体が回転駆動されるように構成したことを特徴とする請求項４又は５に記載の遊技機。
【請求項７】
前記支持ベース駆動機構には、
動力源である第２駆動源と、
前記第２駆動源から動力を受けて、互いに異なる速度で同じ方向、同じ向きに移動する第１移動部材及び第２移動部材と、
前記第１移動部材及び前記第２移動部材の何れか一方に設けられて、前記支持ベースを回動可能に支持する回動支持部と、
前記第１移動部材及び前記第２移動部材の何れか他方と、前記支持ベースのうち前記回動支持部から離れた部位とに両端部を回動可能に連結された姿勢変更リンクとが備えられたことを特徴とする請求項４乃至６の何れか１の請求項に記載の遊技機。
【請求項８】
前記第１可動装飾体及び前記第２可動装飾体は、前記回転ベースに対する回転中心と直交する断面形状が正多角形をなし、それら正多角形の各辺毎に前記第１表示面又は前記第２表示面を有した多面体であることを特徴とする請求項１乃至７の何れか１の請求項に記載の遊技機。
【請求項９】
前記第１リンクは、第１傘歯車であり、前記第１リンクは、前記第１傘歯車に噛合した１対の第２傘歯車であることを特徴とする請求項３に記載の遊技機。
【発明の詳細な説明】
【技術分野】
【０００１】
本発明は、遊技状態に応じて可動装飾体を回転駆動し、その可動装飾体の外面に備えた複数の表示面の向きを変更して装飾を変化させることが可能な遊技機に関する。
【背景技術】
【０００２】
従来、この種の遊技機として、扁平円柱形の可動装飾体を、その中心軸と直交する回転軸回りに回転させて、表示面としての可動装飾体の一端面、他端面及び周面の向きを変更して、装飾を変化させる遊技機が知られている（例えば、特許文献１参照）。
【先行技術文献】
【特許文献】
【０００３】
【特許文献１】特開２００７−２６８１２７号公報（図５，図６参照）
【発明の概要】
【発明が解決しようとする課題】
【０００４】
しかしながら、上記した従来の遊技機の構成では、単に可動装飾体を一定の回転軸回りに回転駆動するだけであったので、可動装飾体の動作が単調で、趣向性が低かった。
【０００５】
本発明は、上記事情に鑑みてなされたもので、従来より複雑な動作を可動装飾体に行わせて、趣向性の高い演出を行うことが可能な遊技機の提供を目的とする。
【課題を解決するための手段】
【０００６】
上記目的を達成するためになされた請求項１の発明に係る遊技機は、支持ベースに設けた第１回転軸を中心に回転可能に支持ベースに取り付けられて、遊技状態に応じて回転する回転ベースと、第１回転軸と交差する方向に並んだ状態で回転ベースにそれぞれ回転可能に取り付けられて、遊技状態に応じて回転ベースと共に第１回転軸回りを回転しながらその回転ベースに対しても回転する第１可動装飾体及び第２可動装飾体と、第１可動装飾体の外面に設けられて、回転ベースに対する回転方向に並べられた複数の第１表示面と、第２可動装飾体の外面に設けられて、回転ベースに対する回転方向に並べられた複数の第２表示面とを備えて、第１可動装飾体及び第２可動装飾体が回転ベースに対してそれぞれの回転することで、互いに並んで表示される第１表示面と第２表示面との組み合わせパターンが変化すると共に、回転ベースの回転によって第１可動装飾体及び第２可動装飾体の並び方向が、第１方向と第２方向を含む複数方向に変化し、第１方向に並んで遊技者が視認可能となる第１表示面と第２表示面との組み合わせパターンと、第２方向に並んで遊技者が視認可能となる第１表示面と第２表示面との組み合わせパターンとが異なるように設定したところに特徴を有する。
【０００７】
請求項２の発明は、請求項１に記載の遊技機において、第１可動装飾体及び第２可動装飾体は、第１回転軸を間に挟んで配置されたところに特徴を有する。
【０００８】
請求項３の発明は、請求項１又は２に記載の遊技機において、支持ベースに固定されて、第１回転軸を中心軸とした第１リンクと、第１可動装飾体及び第２可動装飾体に固定されて第２回転軸を中心軸とし、それぞれ第１リンクに連結した１対の第２リンクと、支持ベースに対して回転ベースを回転駆動すると共に、回転ベースを回転駆動することで第１可動装飾体及び第２可動装飾体を回転ベースに対して回転させる第１駆動源とを備えたところに特徴を有する。
【０００９】
請求項４の発明は、請求項１乃至３の何れか１の請求項に記載の遊技機において、第１回転軸の軸方向を変更するように支持ベースの姿勢を第１姿勢と第２姿勢とに変更する支持ベース駆動機構を備えたところに特徴を有する。
【００１０】
請求項５の発明は、請求項４に記載の遊技機において、支持ベースの第２姿勢で遊技者と対向する第１表示面と第２表示面との組み合わせパターンを、遊技状況を意味又は示唆する組み合わせパターンとする一方、支持ベースの第１姿勢で遊技者と対向する第１表示面と第２表示面との組み合わせパターンを、遊技状況を意味しない又は示唆しない組み合わせパターンとしたところに特徴を有する。
【００１１】
請求項６の発明は、請求項４又は５に記載の遊技機において、第１可動装飾体及び第２可動装飾体は、支持ベースの第１姿勢では、回転駆動されず、第２姿勢で回転ベースと共に第１可動装飾体及び第２可動装飾体が回転駆動されるように構成したところに特徴を有する。
【００１２】
請求項７の発明は、請求項４乃至６の何れか１の請求項に記載の遊技機において、支持ベース駆動機構には、動力源である第２駆動源と、第２駆動源から動力を受けて、互いに異なる速度で同じ方向、同じ向きに移動する第１移動部材及び第２移動部材と、第１移動部材及び第２移動部材の何れか一方に設けられて、支持ベースを回動可能に支持する回動支持部と、第１移動部材及び第２移動部材の何れか他方と、支持ベースのうち回動支持部から離れた部位とに両端部を回動可能に連結された姿勢変更リンクとが備えられたところに特徴を有する。
【００１３】
請求項８の発明は、請求項１乃至７の何れか１の請求項に記載の遊技機において、第１可動装飾体及び第２可動装飾体は、回転ベースに対する回転中心と直交する断面形状が正多角形をなし、それら正多角形の各辺毎に第１表示面又は第２表示面を有した多面体であるところに特徴を有する。
【００１４】
請求項９の発明は、請求項３に記載の遊技機において、第１リンクは、第１傘歯車であり、第１リンクは、第１傘歯車に噛合した１対の第２傘歯車であるところに特徴を有する。
【発明の効果】
【００１５】
［請求項１，２，３，８，９の発明］
請求項１の遊技機では、遊技状態に応じて回転ベースが第１回転軸回りを回転すると、第１可動装飾体及び第２可動装飾体が回転ベースと共に第１回転軸回りに回転しながらその回転ベースに対しても回転して、第１可動装飾体の複数の第１表示面と第２可動装飾体の複数の第２表示面との組み合わせパターンが変化する。このように、本発明の遊技機によれば、従来より複雑な動作を第１と第２の可動装飾体に行わせて、従来より趣向性の高い演出を行うことが可能になる。
【００１６】
また、請求項２の発明のように、第１可動装飾体及び第２可動装飾体が第１回転軸を間に挟んで配置された構成すれば、コンパクトなスペース内で第１可動装飾体及び第２可動装飾体を回転することができる。
【００１７】
さらに、請求項３の構成によれば、第１駆動源のみで、第１可動装飾体及び第２可動装飾体を回転ベースと共に第１回転軸回りを回転駆動しながらその回転ベースに対しても回転駆動することができ、第１駆動源の有効利用が図られる。その場合、請求項９の発明のように、支持ベースに固定された第１リンクとして第１傘歯車を備えると共に、第１可動装飾体及び第２可動装飾体に固定された１対の第２リンクとして第１傘歯車に噛合した１対の第２傘歯車を備えれば、第１駆動源の動力を確実に第１可動装飾体及び第２可動装飾体に伝達することができる。
【００１８】
また、第１可動装飾体及び第２可動装飾体が円筒形状をなして、その外周面を複数の第１表示面又は第２表示面に区画した構成にしてもよいし、請求項８の構成のように、第１可動装飾体及び第２可動装飾体を、回転ベースに対する回転中心と直交する断面形状が正多角形をなし、それら正多角形の各辺毎に第１表示面又は第２表示面を有した多面体にしてもよい。請求項８の構成によれば、第１可動装飾体及び第２可動装飾体の間における第１と第２の表示面を対応が明確になる。
【００１９】
［請求項４の発明］
請求項４の遊技機では、第１回転軸の軸方向を変更するように支持ベースの姿勢が第１姿勢と第２姿勢とに変化するので、第１可動装飾体及び第２可動装飾体の動作が更に複雑になり、演出の趣向性が更に向上する。
【００２０】
［請求項５の発明］
請求項５の遊技機では、支持ベースの第２姿勢で遊技者と対向する第１表示面と第２表示面との組み合わせパターンを、遊技状況を意味又は示唆する組み合わせパターンとする一方、支持ベースの第１姿勢で遊技者と対向する第１表示面と第２表示面との組み合わせパターンを、遊技状況を意味しない又は示唆しない組み合わせパターンとしたので、支持ベースが第１姿勢から第２姿勢に変化する際に、遊技者に期待感を抱かせて趣向性を高めることができる。
【００２１】
［請求項６の発明］
請求項６の遊技機では、第１可動装飾体及び第２可動装飾体は、支持ベースの第１姿勢では回転駆動されず、支持ベースが第２姿勢に変化すると回転駆動されるので、第１姿勢から第２姿勢に変化したときに遊技者に期待感を抱かせることができる。
【００２２】
［請求項７の発明］
請求項７の構成によれば、支持ベースを移動しながら第１姿勢から第２姿勢に変化することができ、第１可動装飾体及び第２可動装飾体の動作が複雑になって演出の趣向性が更に向上する。
【図面の簡単な説明】
【００２３】
【図１】本発明の一実施形態に係るパチンコ遊技機の正面図
【図２】そのパチンコ遊技機における遊技板の正面図
【図３】可動役物及び支持ケースの斜視図
【図４】可動役物及び支持ケースの斜視図
【図５】可動ベースが第１位置及び第１姿勢の可動役物の斜視図
【図６】可動ベースの分解斜視図
【図７】可動ベースの分解斜視図
【図８】可動ベース、第１及び第２の可動装飾体の斜視図
【図９】第１及び第２の可動装飾体の斜視図
【図１０】可動ベースが第２位置及び第２姿勢で回転原点位置の可動役物の斜視図
【図１１】可動ベースが回転原点位置から９０度回転した状態の可動役物の斜視図
【図１２】可動ベースが第１位置及び第１姿勢の可動役物の後面図
【図１３】可動ベースが第２位置及び第２姿勢で回転原点位置の可動役物の後面図
【発明を実施するための形態】
【００２４】
以下、本発明の一実施形態を図１〜図１３に基づいて説明する。図１には、本発明の遊技機とてのパチンコ遊技機１０を前面から見た状態が示されている。パチンコ遊技機１０の前面にはガラス窓１１が備えられ、そのガラス窓１１を通して内部の遊技板２０における遊技領域Ｒを視認することができる。
【００２５】
図２に示すように、遊技領域Ｒは、遊技板２０の前面から起立したガイドレール２１Ａによって全体を包囲され、遊技板２０の前面のうち四隅のコーナー部及び４辺の外縁部の一部を除いた略全体を占めている。また、遊技板２０に向かって右側に位置した部分には、ガイドレール２１Ａに内側から対向した補助ガイドレール２１Ｂが備えられ、パチンコ遊技機１０の前面右下の操作ハンドル１２（図１参照）を操作すると、遊技球が順次、補助ガイドレール２１Ｂとガイドレール２１Ａとの間を通過して遊技領域Ｒの上部に打ち込まれる。
【００２６】
遊技板２０には、遊技領域Ｒの略中央に表示窓２１が貫通形成されていて、その表示窓２１の奥側は液晶表示画面２３になっている。また、表示窓２１には、前方から装飾枠２２が嵌め込まれ、その装飾枠２２の上辺部分と両方の側辺分部は、共に遊技板２０の前面から突出している。これにより、遊技領域Ｒの上部に打ち込まれた遊技領域Ｒは、装飾枠２２の上部から表示窓２１に進入せずに、遊技領域Ｒのうち装飾枠２２より右側部分か左側部分の何れかを流下する。
【００２７】
装飾枠２２の下辺部分は、遊技球が転動可能なステージ２２Ｓになっていて、装飾枠２２のうち向かって左側の側辺部分には、遊技球を受け入れてステージ２２Ｓに案内するための遊技球導入口２２Ｄが備えられている。そして、装飾枠２２の左側を流下する遊技球の一部が遊技球導入口２２Ｄからステージ２２Ｓに案内されてステージ２２Ｓを転動して、ステージ２２Ｓの前縁部から装飾枠２２外に落下する。また、ステージ２２Ｓの後縁部からは、透明な板状のカバー壁突２２Ｔが突出している。
【００２８】
遊技領域Ｒには、一般入賞口２４Ａ，２４Ｂ、始動入賞口２４Ｃ、開閉式の大入賞口２５等が分散配置されている。上記した一般入賞口２４Ａ，２４Ｂ及び始動入賞口２４Ｃは、遊技板２０の前面から突出した部材の上面に常時開口しており、遊技球が丁度１つ入球可能な大きさで上方に開口している。また、大入賞口２５は、遊技板２０の前面から突出した部材のうち水平方向に延びかつ僅かに傾斜した上面に開口していて、複数の遊技球が一度に入球可能な大きさになっている。また、大入賞口２５は、通常は、遊技板２０から前方に突出した図示しない開閉扉にて閉塞され、その開閉扉の上面が遊技球の転動可能な通路になっている。そして、遊技が後述する大当り状態になると、開閉扉が遊技板２０の前面より後側に後退して大入賞口２５が開放し、複数の遊技球が大入賞口２５に入球可能になる。
【００２９】
上記した一般入賞口２４Ａ，２４Ｂ、始動入賞口２４Ｃ及び大入賞口２５の何れかに遊技球が入球すると、所定複数の遊技球が賞球としてパチンコ遊技機１０の前面の上皿１３（図１参照）に払い出される。また、始動入賞口２４Ｃに遊技球が入球すると、当否判定が行われ、その当否判定結果が液晶表示画面２３に表示される。具体的には、液晶表示画面２３には、３つの左、中、右の特別図柄２３Ａ，２３Ｂ，２３Ｃが横並びに表示されている。これら各特別図柄２３Ａ，２３Ｂ，２３Ｃは、例えば、「０」〜「１１」の数字を表記した複数種類のもので構成されており、通常は、各特別図柄２３Ａ，２３Ｂ，２３Ｃごと、所定の種類のものが停止表示されている。そして、始動入賞口２４Ｃに遊技球が入賞すると、当否判定が行われ、これら３つの特別図柄２３Ａ，２３Ｂ，２３Ｃが、上下方向にスクロール表示され、所定時間後に、例えば、左、右、中の順で各特別図柄２３Ａ，２３Ｂ，２３Ｃが停止表示される。このとき、遊技の当否判定の結果が「大当り」であれば、例えば、全ての特別図柄２３Ａ，２３Ｂ，２３Ｃが同じ図柄、即ち、ぞろ目になる。また、各特別図柄２３Ａ，２３Ｂ，２３Ｃを、変動表示後、左、右、中の順で各特別図柄２３Ａ，２３Ｂ，２３Ｃを停止する際に、左、右の各特別図柄２３Ａ，２３Ｃが同じ図柄になって先に停止した状態で、中央の特別図柄２３Ｂが変動表示されたリーチ状態になる場合がある。
【００３０】
上記液晶表示画面２３は、遊技板２０の後面より更に後方に離間していて、その液晶表示画面２３と遊技板２０の後面との間に、本発明に係る第１可動装飾体５１と第２可動装飾体５２を有した可動役物４０が収納されている。具体的には、遊技板２０の後面には、図３に示した支持ケース３０が取り付けられている。支持ケース３０は、遊技板２０の後面と平行に対向した略四角形の主板部３０Ａの外縁全体から側壁３０Ｂを前方に張り出した構造をなしている。そして、側壁３０Ｂの前端の一部から側方に張り出された取り付け壁３０Ｃを遊技板２０の後面に重ねた状態で、取り付け壁３０Ｃに備えた複数の取り付け孔３０Ｄに挿通した螺子にて遊技板２０に固定されている。
【００３１】
主板部３０Ａには、その主板部３０Ａ全体の上下方向における上側の略２／３の範囲に略円形のケース窓３１が貫通形成されている。また、主板部３０Ａの後面には、ケース窓３１を囲むように図示しない矩形の枠形突壁が形成され、その枠形突壁内に透明な樹脂シート３２が敷設されている。そして、樹脂シート３２に重ねて図示しない液晶モジュールが枠形突壁内に収容された状態に固定され、その液晶モジュールの前面が上記液晶表示画面２３になっている。
【００３２】
可動役物４０は、主板部３０Ａの前面における下部中央に配置され、本発明に係る支持ベース４１を、支持ケース３０に組み付けられた１対の支持ベース駆動機構７０，７０にて支持した構造になっている。図５に示すように、支持ベース４１は、左右方向に延びた帯形の支持ベース本体４２の中間部をクランク状に屈曲させて中央陥没部４２Ａとし、その中央陥没部４２Ａの両側の段差上面４２Ｂ，４２Ｂに１対の装飾ブロック４３，４３を取り付けた構造になっている。
【００３３】
図６に示すように、支持ベース本体４２は、その下面全体を構成する蓋体４２Ｆと、それ以外の筐体部４２Ｋとに分解可能になっている。また、筐体部４２Ｋにおける前記中央陥没部４２Ａの中央には、円形の中央孔４２Ｄが貫通形成され、中央陥没部４２Ａにおける段差上面４２Ｂ，４２Ｂとの間の段差面４２Ｃ，４２Ｃは、中央孔４２Ｄと同心の円弧面になっている。蓋体４２Ｆのうち前記中央孔４２Ｄと対向する位置には、中央孔４２Ｄと同心のギヤ支持筒４２Ｊが突出形成されている。そして、そのギヤ支持筒４２Ｊに、回転出力ギヤ４４Ａが回転可能に支持され、その回転出力ギヤ４４Ａの一端面が中央孔４２Ｄを通して支持ベース本体４２の上方に臨んでいる。また、回転出力ギヤ４４Ａは、下面側にドーナッツ状の円板４４Ｔを一体形成して備え、その円板４４Ｔの外縁部が歯面より側方に張り出している。そして、その円板４４Ｔの外縁部に、中央孔４２Ｄの開口縁から垂下された突壁４２Ｔが突き合わされて、回転出力ギヤ４４Ａの軸方向の移動が規制されている。
【００３４】
支持ベース本体４２のうち一方の段差上面４２Ｂには、第１モータ４５（本発明の「第１駆動源」に相当する）のステータ４５Ｓが固定され、その第１モータ４５の回転出力軸４５Ｊが、図７に示すように、支持ベース本体４２の壁部を貫通して支持ベース本体４２内に突入している。また、第１モータ４５の回転出力軸４５Ｊには入力ギヤ４４Ｄが一体回転可能に取り付けられ、その入力ギヤ４４Ｄが、中継ギヤ４４Ｂ，４４Ｃを介して回転出力ギヤ４４Ａに連結されている。これにより、第１モータ４５の動力を受けて回転出力ギヤ４４Ａが回転駆動される。
【００３５】
支持ベース本体４２のうち他方の段差上面４２Ｂの下方には、原点検出センサ４４Ｇが収容されている。また、回転出力ギヤ４４Ａと原点検出センサ４４Ｇとの間には、回転位置検出用ギヤ４４Ｆが配置されて中継４４Ｅを介して回転出力ギヤ４４Ａに連結されると共に、回転位置検出用ギヤ４４Ｆの一部が原点検出センサ４４Ｇが有する１対の対向突部４４Ｓ，４４Ｓの間に受容されている。回転位置検出用ギヤ４４Ｆは、回転出力ギヤ４４Ａと同じピッチ円を有し、回転位置検出用ギヤ４４Ｆの一部には、光挿通孔４４Ｈが貫通形成されていて、光挿通孔４４Ｈが１対の対向突部４４Ｓ，４４Ｓの間に位置したときにのみ、対向突部４４Ｓ，４４Ｓの間で光信号を送受光することが可能になっている。
【００３６】
装飾ブロック４３，４３の支持ベース本体４２の円弧状の段差面４２Ｃ，４２Ｃと略面一になって湾曲した円弧面４３Ａ，４３Ａを備えている。また、一方の装飾ブロック４３は、第１モータ４５を覆い隠すカバーにもなっている。
【００３７】
支持ベース本体４２における長手方向の両端面からは、それぞれ後支軸部材４６Ａ及び前支軸部材４６Ｂが突出している。後支軸部材４６Ａ及び前支軸部材４６Ｂは、支持ベース本体４２の長手方向に延び、支持ベース本体４２の幅方向における一端側に後支軸部材４６Ａが配置される一方、支持ベース本体４２の幅方向における他端側に前支軸部材４６Ｂが配置されている。また、支持ベース本体４２の両端面に後支軸部材４６Ａ，４６Ａ同士が同軸上に配置される一方、前支軸部材４６Ｂ，４６Ｂ同士が同軸上に配置されている。そして、後に詳説する支持ベース駆動機構７０，７０に後支軸部材４６Ａ及び前支軸部材４６Ｂが支持され、装飾ブロック４３，４３が支持ベース本体４２から上方に突出した第１姿勢（図５の状態）と、その第１姿勢から９０度回動して、装飾ブロック４３，４３が支持ベース本体４２から前側（遊技者側）に突出した第２姿勢（図１０の状態）とに姿勢変更可能になっている。
【００３８】
図５に示すように、支持ベース４１における装飾ブロック４３，４３の間には、回転ベース４９が受容されている。図６に示すように、回転ベース４９は、回転ベース本体４７に１対の対向板壁４８，４８を組み付けてなる。回転ベース本体４７は、全体が支持ベース本体４２の中央陥没部４２Ａに重ねて配置される帯状をなしかつ、その長手方向の中間部が幅広になっている。また、図７に示すように、回転ベース本体４７の下面中央には、円環状突壁４７Ｔが突出形成され、円環状突壁４７Ｔが支持ベース本体４２の中央孔４２Ｄ内に遊嵌された状態で回転出力ギヤ４４Ａが回転ベース本体４７に螺子留めされている。これにより、第１モータ４５の動力により回転ベース本体４７が支持ベース４１に対して回転駆動される。
【００３９】
図８に示すように、両対向板壁４８，４８は、上下方向に延びた略長方形の支持板４８Ｋの外側に、上下方向に延びた長方形の装飾板４８Ｈを重ねて固定した構造をなしている。また、これら両対向板壁４８，４８は、各下端部を回転ベース本体４７の長手方向の端部にそれぞれ螺子止めされた状態で回転ベース本体４７から起立し、互いに対向している。そして、これら対向板壁４８，４８の間に、本発明に係る第１可動装飾体５１と第２可動装飾体５２とが配置されている。
【００４０】
図９に示すように、第１と第２の可動装飾体５１，５２は、同じ大きさの立方体形状をなしている。また、第１と第２の可動装飾体５１，５２において互いに対向した各外面（以下、「ギヤ支持面６１」という）には、それらの図心を中心とした円錐状のギヤ収容凹部６２が陥没形成され、そのギヤ収容凹部６２内に第２傘歯車６０（本発明の「第２リンク」に相当する）がそれぞれ備えられている（図９には、第２可動装飾体５２のギヤ収容凹部６２、第２傘歯車６０のみが示されている）。そして、第１可動装飾体５１に備えた第２傘歯車（図示せず）が第１可動装飾体５１と一体に回転し、第２可動装飾体５２に備えた第２傘歯車６０が第２可動装飾体５２と一体に回転する。また、各第２傘歯車６０の中心には、シャフト挿通孔６３が貫通形成されている。
【００４１】
第１と第２の可動装飾体５１，５２における各ギヤ支持面６１と反対側の面には、中央に円形の円盤支持孔６５が貫通形成され、その円盤支持孔６５内に支持円盤６４が回転可能に組み付けられている（図９には、第１可動装飾体５１の円盤支持孔６５及び支持円盤６４のみが示されている）。また、支持円盤６４の中心には、上記したシャフト挿通孔６３の同軸上にシャフト挿通孔６６が貫通形成されている。
【００４２】
第１と第２の可動装飾体５１，５２の各シャフト挿通孔６３，６６には、共通の中心シャフト５４が挿通され、その中心シャフト５４の中間部にギヤ連結支持部材５３が回転可能に挿通されて、第１と第２の可動装飾体５１，５２の間に配置されている。そして、図８に示すように、中心シャフト５４の両端部が、第１と第２の可動装飾体５１，５２の各支持円盤６４のシャフト挿通孔６６から外側に突出し、それら中心シャフト５４の両端寄り位置に形成された係止溝５４Ｍ，５４Ｍ（図９参照）にＥリング５５がそれぞれ係止している。
【００４３】
また、第１可動装飾体５１の支持円盤６４は、一方の対向板壁４８に螺子止めされ、第２可動装飾体５２の支持円盤６４は、他方の対向板壁４８に螺子止めされている。これにより、図５に示すように、第１と第２の可動装飾体５１，５２が、共通の回転軸である第２回転軸Ｊ２を中心に回転可能な状態で回転ベース４９に支持され、その第２回転軸Ｊ２が、支持ベース４１に対する回転ベース４９の回転軸である第１回転軸Ｊ１と直交した配置になっている。
【００４４】
第１可動装飾体５１の外面のうち第２回転軸Ｊ２を囲むように配置された４つの面は、本発明に係る第１表示面５１Ａ，５１Ｂ，５１Ｃ，５１Ｄをなし、第２可動装飾体５２の外面のうち回転軸Ｊ２を囲むように配置された４つの面は、本発明に係る第２表示面５２Ａ，５２Ｂ，５２Ｃ，５２Ｄをなしている。そして、第１可動装飾体５１の第１表示面５１Ａと、第２可動装飾体５２の第２表示面５２Ａは、共に「？」（クウェッションマーク）という文字を、その文字の横方向が第２回転軸Ｊ２と平行になる向き（以下、「横向き」という）に表示した装飾になっている。また、第１可動装飾体５１のうち「？」の第１表示面５１Ａと反対側の第１表示面５１Ｃは、「城」という文字（図７、図１１参照）を横向きにしかつ、「？」の第１表示面５１Ａと上下の向きを同じにして表示した装飾になっている。また、第１可動装飾体５１のうち「？」及び「城」の第１表示面５１Ａ，５１Ｃの間の一方の第１表示面５１Ｂは、「天」という文字（図５参照）を、その文字の横方向が第２回転軸Ｊ２と直交する向き（以下、「縦向き」という）にして表示した装飾になっている。さらに、第１可動装飾体５１のうち「天」の第１表示面５１Ｂと反対側の第１表示面５１Ｄは、「望」という文字（図１１、図１２参照）を縦向きにしかつ、「天」の第１表示面５１Ｂと上下の向きを逆にして表示した装飾になっている。
【００４５】
一方、第２可動装飾体５２のうち「？」の第２表示面５２Ａと反対側の第２表示面５２Ｃは、「牙」という文字（図７参照）を横向きにしかつ、「？」の第２表示面５２Ａと上下の向きを同じにして表示した同じ装飾になっている。また、第２可動装飾体５２のうち「？」及び「牙」の第２表示面５２Ａ，５２Ｃの間の一方の第２表示面５２Ｂは、「運」という文字（図１０、図１２参照）を縦向きにしかつ「天」の第１表示面５１Ｂと上下の向きを同じにして表示した装飾になっている。さらに、第２可動装飾体５２のうち「運」の第２表示面５２Ｂと反対側の第２表示面５２Ｄは、「希」という文字（図１１参照）を縦向きにしかつ、「望」の第１表示面５１Ｄと上下の向きを同じにして表示した装飾になっている。
【００４６】
図９に示すように、ギヤ連結支持部材５３は、円筒状のスペーサスリーブ５３Ａを中心に備え、そのスペーサスリーブ５３Ａの内側に中心シャフト５４が挿通されて、スペーサスリーブ５３Ａの両端面が第１と第２の可動装飾体５１，５２の各第２傘歯車６０の端面に突き合わされている。また、スペーサスリーブ５３Ａの長手方向の中間部には、リング部５３Ｈが備えられ、リング部５３Ｈとスペーサスリーブ５３Ａとは、複数のスポーク部５３Ｓによって連結されている。そのリング部５３Ｈは、円の一部をカットして直線部５３Ｂとした形状をなし、その直線部５３Ｂとその両側のスポーク部５３Ｓ，５３Ｓに囲まれた部分がギヤ収容部５３Ｃになっている。そして、このギヤ収容部５３Ｃに第１傘歯車６９（本発明の「第１リンク」に相当する）が収容されて、その第１傘歯車６９と第１と第２の可動装飾体５１，５２の各第２傘歯車６０とが互いに噛合している。
【００４７】
また、第１傘歯車６９は、中心部に非円形のシャフト結合孔６９Ａを備え、ギヤ連結支持部材５３の直線部５３Ｂには、シャフト結合孔６９Ａと対向する位置に貫通孔５３Ｄが貫通形成されている。そして、第１回転軸Ｊ１に沿って延びたギヤ固定シャフト５０の先端部が、貫通孔５３Ｄを通して第１傘歯車６９のシャフト結合孔６９Ａに挿入されている。そのギヤ固定シャフト５０の先端部は、シャフト結合孔６９Ａに対応した非円形の断面形状をなし、これにより、第１傘歯車６９がギヤ固定シャフト５０の先端に回転不能に結合されている。
【００４８】
また、ギヤ固定シャフト５０の基端部には、非円形の断面形状をなした基端連結部５０Ｂが備えられ、これに対応した断面形状を有するシャフト支持筒４２Ｈが、前記した蓋体４２Ｆにおけるギヤ支持筒４２Ｊの内側に突出形成されている。そして、図６に示すように、回転ベース本体４７の中央部分に貫通形成された貫通孔４７Ａを通してギヤ固定シャフト５０の基端連結部５０Ｂがシャフト支持筒４２Ｈの内側に挿入されて、ギヤ固定シャフト５０及び第１傘歯車６９が支持ベース４１に回転不能に固定されている。これにより、第１傘歯車６９が支持ベース４１に固定され、回転ベース４９が支持ベース４１に対して第１回転軸Ｊ１回りを回転すると、第１と第２の可動装飾体５１，５２の各第２傘歯車６０が、第１傘歯車６９の周りを公転しながら自転することになり、第１と第２の可動装飾体５１，５２が回転軸Ｊ２を中心に互い逆向きに回転する。
【００４９】
ここで、支持ベース４１に対する回転ベース４９の回転位置の１箇所は、回転原点位置に設定されている。その回転原点位置に回転ベース４９が配置されると、回転ベース本体４７の長手方向（即ち、第２回転軸Ｊ２の軸方向）と、支持ベース本体４２の長手方向とが平行になる。このとき、図７に示すように、上記した回転位置検出用ギヤ４４Ｆの光挿通孔４４Ｈが原点検出センサ４４Ｇにおける１対の対向突部４４Ｓ，４４Ｓの間に位置して、原点検出センサ４４Ｇにより支持ベース４１が回転原点位置に配置されていることを検出することができる。
【００５０】
回転ベース４９が回転原点位置に配置されたときには、図５に示すように、第１と第２の可動装飾体５１，５２が水平方向（本発明の「第１方向」に相当する）に並んで、遊技者側から見て第１可動装飾体５１の右側に第２可動装飾体５２が位置すると共に、第１可動装飾体５１の「城」の第１表示面５１Ｃと第２可動装飾体５２の「牙」の第２表示面５２Ｃとが、回転ベース本体４７と第１回転軸Ｊ１の軸方向で対向して平行になりかつ、第１可動装飾体５１の「？」の第１表示面５１Ａと第２可動装飾体５２の「？」の第２表示面５２Ａとが、横並びになって回転ベース本体４７と反対側を向く。
【００５１】
その際、図１０に示すように支持ベース４１が第２姿勢になっていると、「？」の第１表示面５１Ａと「？」の第２表示面５２Ａとが前方（遊技者側）を向き、「天」の第１表示面５１Ｂと「希」の第２表示面５２Ｄとが隣り合わせになって下方を向き、第１可動装飾体５１の「望」の第１表示面５１Ｄと第２可動装飾体５２の「運」の第２表示面５２Ｂとが隣り合わせになって上方を向く。
【００５２】
支持ベース４１が第２姿勢で、回転ベース４９が遊技者側から見て支持ベース４１に対して第１回転軸Ｊ１を中心に反時計回り方向に９０度回転し、図１１に示すように、第１と第２の可動装飾体５１，５２が上下方向（本発明の「第２方向」に相当する）に並ぶと、その間に第１と第２の可動装飾体５１，５２は、第２回転軸Ｊ２を中心として互いに逆向きに９０度回転し、「希」の第２表示面５２Ｄと「望」の第１表示面５１Ｄとが上下方向に並んで、「希望」という文言が表示された状態になる。
【００５３】
その状態から更に回転ベース４９が第１回転軸Ｊ１を中心に反時計回り方向に９０度回転し、第１と第２の可動装飾体５１，５２が水平方向に並ぶと、その間に第１と第２の可動装飾体５１，５２も更に互いに逆向きに９０度回転して、「牙」の第２表示面５２Ｃと「城」の第１表示面５１Ｃとが左右方向に並んで、「牙城」という文言（図示せず）が表示された状態になる。
【００５４】
その状態から更に回転ベース４９が第１回転軸Ｊ１を中心に反時計回り方向に９０度回転し、第１と第２の可動装飾体５１，５２が上下方向に並ぶと、その間に第１と第２の可動装飾体５１，５２も更に互いに逆向きに９０度回転して、「天」の第１表示面５１Ｂと「運」の第２表示面５２Ｂとが上下方向に並んで、「天運」という文言（図示せず）が表示された状態になる。
【００５５】
なお、第１と第２の可動装飾体５１，５２のうち、図８に示すように、ギヤ支持面６１と反対側の面の四隅に締め付けられた螺子Ｎは、鉄製になっている。また、これに対向して、各対向板壁４８の内面には、上記四隅の螺子Ｎに対向し得る４箇所に４つの磁石４８Ａが取り付けられている。そして、螺子Ｎと磁石４８Ａとの間に作用する磁力により、第１表示面５１Ａ，５１Ｂ，５１Ｃ，５１Ｄの何れかと、第２表示面５２Ａ，５２Ｂ，５２Ｃ，５２Ｄの何れかとが、回転ベース本体４７と平行になった正規位置に第１と第２の可動装飾体５１，５２を位置合わせ可能になっている。
【００５６】
上記したように支持ベース４１は、図５に示した支持ベース駆動機構７０，７０によって支持されて、上記した第１姿勢と第２姿勢とに姿勢変更される。図１３に示すように、支持ベース駆動機構７０は、支持ケース３０の主板部３０Ａ（図３参照）に固定されて上下方向に延びた固定レール７１と、その固定レール７１の前面側に直動可能に係合した第１可動レール７２（本発明の「第１移動部材」に相当する）と、その第１可動レール７２の前面側に直動可能に係合した第２可動レール７３（本発明の「第２移動部材」に相当する）とを備えている。これら固定レール７１と第１及び第２の可動レール７２，７３は、例えば、上下方向の長さが略同一になっていて、それら固定レール７１と第１及び第２の可動レール７２，７３の上端面が上下方向において略同一の位置に配置された縮小状態（図５参照）と、図１３に示すように、固定レール７１の上端面が第１可動レール７２の上下方向の中間に位置し、第１可動レール７２の上端面が第２可動レール７３の上下方向の中間に位置して、固定レール７１と第１及び第２の可動レール７２，７３が上下方向にずれた拡張状態とに変化する。
【００５７】
図１１に示すように、１対の支持ベース駆動機構７０，７０の下端部の間には、支持ケース３０の主板部３０Ａに重ねて固定される１対のギヤボックス７５Ｘ，７５Ｘが備えられている。各ギヤボックス７５Ｘの前面には、第２モータ７５（本発明の「第２駆動源」に相当する）のステータ７５Ｓが固定され、第２モータ７５の回転出力軸７５Ｊが図１３に示すようにギヤボックス７５Ｘ内に突入していて、その回転出力軸７５Ｊに入力ギヤ７５Ａが一大回転可能に固定されている。また、第１可動レール７２には、上下方向の延びた第１可動ラック７２Ｇが固定され、第２可動レール７３には、第２可動ラック７３Ｇが固定されている。さらに、固定レール７１と共に主板部３０Ａに固定されるレール台座プレート７６には、固定ラック７６Ｇが備えられている。そして、第１可動ラック７２Ｇと入力ギヤ７５Ａとが中継ギヤ７５Ｃを介してギヤ結合されている。これにより、１対の第２モータ７５，７５の動力を受けて支持ベース駆動機構７０，７０の第１可動レール７２，７２が上下に直線駆動される。
【００５８】
また、固定ラック７６Ｇ及び第２可動ラック７３Ｇは、第１可動ラック７２Ｇのうち複数の歯を支持する基礎プレート部７２Ｐを挟んで互いに対向しかつ、互いの対向面に複数の歯を備えている。さらに、基礎プレート部７２Ｐの一部には、前後方向に貫通したピニオン収容部屋７２Ａが形成され、そのピニオン収容部屋７２Ａの内部に中継ピニオン７７が基礎プレート部７２Ｐに回転可能に支持され、その中継ピニオン７７に固定ラック７６Ｇ及び第２可動ラック７３Ｇが噛合している。これにより、第１可動レール７２が固定レール７１に対して直動すると、その第１可動レール７２の直動速度の２倍の速度で第１可動レール７２の直動方向と同じ方向に第２可動レール７３が直動する。
【００５９】
図１０に示すように、第２可動レール７３の上端部からは、回動支持部７３Ｋが突出していて、その回動支持部７３Ｋに支持ベース４１の後支軸部材４６Ａが回転可能に連結されている。また、第１可動レール７２の側面のうち上下方向の中間位置からは、下支軸部材７２Ｓが突出していて、姿勢変更リンク７４の両端部が下支軸部材７２Ｓと支持ベース４１の前支軸部材４６Ｂとに回動可能に連結されている。なお、後支軸部材４６Ａ等は、それぞれＥリング４６Ｃによって回動支持部７３Ｋ等に抜け止めされている。そして、上記した第１可動レール７２と第２可動レール７３とを直動速度の相違により、支持ベース駆動機構７０の伸縮に伴って後支軸部材４６Ａと前支軸部材４６Ｂと下支軸部材７２Ｓとを直線で結んだ三角形が変形して支持ベース４１が回動し、図５に示すように、装飾ブロック４３，４３が支持ベース本体４２から上方に突出しかつ、第１回転軸Ｊ１が鉛直方向に延びた前記第１姿勢と、図１０に示すように、装飾ブロック４３，４３が支持ベース本体４２から前側（遊技者側）に突出しかつ第１回転軸Ｊ１が前後方向で水平になった前記第２姿勢とに支持ベース４１が姿勢される。
【００６０】
また、支持ベース４１は、第１姿勢では上下方向における比較的下方の第１位置に配置され、第２姿勢では上下方向における比較的上方の第２位置に配置される。即ち、支持ベース駆動機構７０，７０が作動すると、支持ベース４１は、第１位置と第２位置との間で上下に移動しながら第１姿勢と第２姿勢との間で回動して姿勢変更されるようになっている。
【００６１】
本実施形態のパチンコ遊技機１０の構成に関する説明は以上である。次に、このパチンコ遊技機１０の作用効果について説明する。パチンコ遊技機１０で遊技を行うには、操作ハンドル１２（図１参照）を回動操作すればよい。すると、上皿１３（図１参照）内の複数の遊技球が操作ハンドル１２の回動角度に応じた強さで遊技領域Ｒに順次打ち込まれて流下する。また、パチンコ遊技機１０は、通常は、大入賞口２５が閉じた「通常遊技状態」になっていて、その際、可動役物４０の支持ベース４１は、図３に示すように第１位置に配置されて第１姿勢となっている。その可動役物４０を遊技者側から見ると、図２に示すように、第１と第２の可動装飾体５１，５２の下側約半分が装飾枠２２にカバー壁突２２Ｔに隠れ、第１と第２の可動装飾体５１，５２の上側約半分がカバー壁突２２Ｔから上方に突出した状態になっている。また、この状態では、第１と第２の可動装飾体５１，５２のうち「天」の第１表示面５１Ｂと「希」の第２表示面５２Ｄとが、カバー壁突２２Ｔを挟んで遊技者側を向いているが、「天」と「希」の文字が互いに異なる側に横に倒れていて、「天」の第１表示面５１Ｂと「希」の第２表示面５２Ｄとの組み合わせパターンが意味をなさない表示になっている。
【００６２】
遊技を続けていると、遊技領域Ｒを流下する遊技球の一部が始動入賞口２４Ｃに入球して当否判定が行われる。そして、その当否判定結果を報知するために、液晶表示画面２３の特別図柄２３Ａ，２３Ｂ，２３Ｃが変動表示された後、順次停止し、それらの停止図柄がぞろ目であれば、当否判定結果が当りで大入賞口２５が一定期間に亘って開放し、停止図柄がぞろ目でなければ、大入賞口２５は閉塞した状態が保持される。また、当否判定結果を報知するまでの間に、左右の特別図柄２３Ａ，２３Ｃが同じ図柄で停止し、中央の特別図柄２３Ｂだけが変動表示されるリーチ状態になることがある。すると、可動役物４０の支持ベース４１が第１位置から第２位置へと上昇しつつ、前方に回動して第１姿勢から第２姿勢に変化し、第１と第２の可動装飾体５１，５２が、カバー壁突２２Ｔより前方（遊技者側）に迫り出してから（図４、図１０参照）、それら第１と第２の可動装飾体５１，５２との間で前後方向で水平になった第１回転軸Ｊ１を中心にして、支持ベース４１に対して回転ベース４９が回転する。このように、通常、第１位置に配置されていた支持ベース４１が回転する際には、第２位置に移動するので、その第２位置への移動によって支持ベース４１の回転が始まるという期待感を遊技者に抱かせることができる。また、支持ベース４１が第１位置から第２位置に移動する過程で、第１と第２の可動装飾体５１，５２が遊技者側に迫り出すので、第１と第２の可動装飾体５１，５２による表示演出の臨場感が高まる。
【００６３】
そして、支持ベース４１が回転すると、その回転ベース４９と共に第１と第２の可動装飾体５１，５２も第１回転軸Ｊ１回りに回転して、遊技者から見た第１と第２の可動装飾体５１，５２の並び方向が変化する。このとき、第１と第２の可動装飾体５１，５２は、第２回転軸Ｊ２回りに互いに逆方向に回転し、第１可動装飾体５１の複数の第１表示面５１Ａ〜５１Ｄと第２可動装飾体５２の複数の第２表示面５２Ａ〜５２Ｄとの組み合わせパターンも変化する。即ち、第１と第２の可動装飾体５１，５２の並び方向の相違によって視認可能となる第１表示面５１Ａ〜５１Ｄと第２表示面５２Ａ〜５２Ｄとの組み合わせパターンが変化する。
【００６４】
回転ベース４９及び第１と第２の可動装飾体５１，５２は、しばらく回転した後、所定の回転位置で停止し、例えば、図５に示すように、「？」の第１表示面５１Ａと「？」の第２表示面５２Ａとが水平方向に並んで「？？」という表示になるか、又は、図１１に示すように、「希」の第２表示面５２Ｄと「望」の第１表示面５１Ｄとが上下方向に並んで「希望」という表示になるか、又は、「牙」の第２表示面５２Ｃと「城」の第１表示面５１Ｃとが左右方向に並んで「牙城」という表示になるか、或いは、「天」の第１表示面５１Ｂと「運」の第２表示面５２Ｂとが上下方向に並んで「天運」という表示になり、当否判定後の遊技状態を意味するか示唆する表示になり、これにより、遊技者の気持ちを高めることができる。そして、それら「？？」、「希望」、「牙城」又は「天運」という表示の相違により、液晶表示画面２３に表示される特別図柄２３Ａ，２３Ｂ，２３Ｃ以外の演出画像も変化する。その後、支持ベース４１が上記した回転原点位置に戻って、第１と第２の可動装飾体５１，５２による表示が、第１と第２の表示面５１Ａ，５２Ａによる「？？」という表示になり、支持ベース４１が第２姿勢から第１姿勢に戻りながら第２位置から第１位置に戻る。そして、特別図柄２３Ａ，２３Ｂ，２３Ｃによって当否判定結果が報知され、大当りであれば、その後の大当り遊技で遊技者は多くの賞球を取得することができるようになる。
【００６５】
このように本実施形態のパチンコ遊技機１０では、遊技状態に応じて回転ベース４９が第１回転軸Ｊ１回りを回転すると、第１と第２の可動装飾体５１，５２が回転ベース４９と共に第１回転軸Ｊ１回りに回転しながらその回転ベース４９に対しても回転して、複数の第１表示面５１Ａ〜５１Ｄと複数の第２表示面５２Ａ〜５２Ｄとの組み合わせパターンが変化する。即ち、第１と第２の可動装飾体５１，５２の動作が従来より複雑になり、従来より趣向性の高い演出を行うことが可能になる。また、支持ベース４１が第１位置と第２位置との間で移動し、その移動に伴って第１回転軸Ｊ１の軸方向を変更するように支持ベース４１の姿勢が第１姿勢と第２姿勢とに変化するので、動作がより複雑になり趣向性が向上する。しかも、第１と第２の可動装飾体５１，５２は、支持ベース４１の第１姿勢では回転駆動されず、支持ベース４１が第２姿勢に変化すると回転駆動されるので、第１姿勢から第２姿勢に変化したときに遊技者に期待感を抱かせることができる。また、第１と第２の可動装飾体５１，５２は、第１回転軸Ｊ１を間に挟んで配置されているので、コンパクトなスペース内で回転することができる。さらに、支持ベース４１に固定した第２傘歯車６０に、第１と第２の可動装飾体５１，５２に固定した第１傘歯車６９，６９を噛合させたことで、第１モータ４５にて回転ベース４９を回転駆動すると、それに伴って第１と第２の可動装飾体５１，５２が回転し、第１モータ４５の有効利用が図られる。
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６６】
（１）前記実施形態では、第１と第２の可動装飾体５１，５２が、回転ベース４９の回転中心である第１回転軸Ｊ１と直交した方向に並んでいたが、第１可動装飾体及び第２可動装飾体が第１回転軸と斜めに交差した方向に並んだ構成にしてもよい。
【００６７】
（２）前記実施形態では、第１と第２の可動装飾体５１，５２が、第１回転軸Ｊ１を間に挟んで対称に配置されていたが、第１可動装飾体及び第２可動装飾体が第１回転軸を間に挟まない配置にしてもよい。また、第１可動装飾体及び第２可動装飾体を、第１回転軸を間に挟んで非対称に配置してもよい。
【００６８】
（３）前記実施形態では、第１と第２の可動装飾体５１，５２が、共通の回転中心軸である第２回転軸Ｊ２回りに回転する構成であったが、第１可動装飾体及び第２可動装飾体が、互いに平行な別々の回転中心回りに回転する構成や、互いに非平行な別々の回転中心回りに回転する構成としてもよい。
【００６９】
（４）前記実施形態では、第１と第２の可動装飾体５１，５２は、立方体であったが、第１可動装飾体及び第２可動装飾体における第２回転軸と直交する断面形状を、例えば、正五角形、正六角形、正八角形等の正多角形として、それら正多角形の各辺毎に第１表示面又は第２表示面を有した多面体にしてもよい。また、第１可動装飾体及び第２可動装飾体における第２回転軸と直交する断面形状を、例えば円形の円筒形状にして、その外周面を複数の第１表示面又は第２表示面に区画した構成にしてもよい。
【００７０】
（５）前記実施形態では、パチンコ遊技機１０に本発明を適用した例を示したが、アレンジボール、スロットマシン等の遊技機に本発明を適用してもよい。
【符号の説明】
【００７１】
１０    パチンコ遊技機（遊技機）
４１    支持ベース
４５    第１モータ（第１駆動源）
４９    回転ベース
５１    第１可動装飾体
５１Ａ，５１Ｂ，５１Ｃ，５１Ｄ    第１表示面
５２    第２可動装飾体
５２Ａ，５２Ｂ，５２Ｃ，５２Ｄ    第２表示面
５３    ギヤ連結支持部材
６０    第２傘歯車（第２リンク）
６９    第１傘歯車（第１リンク）
７０  支持ベース駆動機構
７２    第１可動レール（第１移動部材）
７３    第２可動レール（第２移動部材）
７５    第２モータ（第２駆動源）
Ｊ１    第１回転軸
Ｊ２    第２回転軸
【要約】
【課題】従来より複雑な動作を可動装飾体に行わせて、趣向性の高い演出を行うことが可能な遊技機を提供する。
【解決手段】本発明のパチンコ遊技機１０では、遊技状態に応じて回転ベース４９が第１回転軸Ｊ１回りを回転すると、第１と第２の可動装飾体５１，５２が回転ベース４９と共に第１回転軸Ｊ１回りに回転しながらその回転ベース４９に対しても回転して、複数の第１表示面５１Ａ〜５１Ｄと複数の第２表示面５２Ａ〜５２Ｄとの組み合わせパターンが変化する。このように、本発明のパチンコ遊技機１０によれば、第１と第２の可動装飾体５１，５２による従来より複雑な動作によって、従来より趣向性の高い演出を行うことが可能になる。
【選択図】図３【図１】
0005204907.tif 000002
【図２】
0005204907.tif 000003
【図３】
0005204907.tif 000004
【図４】
0005204907.tif 000005
【図５】
0005204907.tif 000006
【図６】
0005204907.tif 000007
【図７】
0005204907.tif 000008
【図８】
0005204907.tif 000009
【図９】
0005204907.tif 000010
【図１０】
0005204907.tif 000011
【図１１】
0005204907.tif 000012
【図１２】
0005204907.tif 000013
【図１３】
0005204907.tif 000014